(57)【要約】【課題】上部対象物との間に存する空隙への確実な間詰め方法を提供する。【解決手段】上部対象物１ａと下部対象物３ａとの間に存する空隙４に間詰めを行う方法であって、下部対象物上に袋体５を配設し、次いで袋体内に、時間の経過にともなって次第に流動状態から塑性を呈しさらに硬化する性質の硬化性材料６を流動状態にて充填し、充填された硬化性材料が塑性を呈するまで放置した後、袋体を上部対象物に密着するよう塑性変形させることを特徴とする間詰め方法。【選択図】図４
2006328861.tif 000002
【特許請求の範囲】
【請求項１】
上部対象物と下部対象物との間に存する空隙に間詰めを行う方法であって、
上記下部対象物上に袋体を配設し、
次いで上記袋体内に、時間の経過にともなって次第に流動状態から塑性を呈しさらに硬化する性質の硬化性材料を流動状態にて充填し、
上記充填された硬化性材料が塑性を呈するまで放置した後、上記袋体を上記上部対象物に密着するよう塑性変形させることを特徴とする間詰め方法。
【請求項２】
前記袋体は透水性を有することを特徴とする請求項１に記載の間詰め方法。
【請求項３】
前記袋体の塑性変形は、該袋体の側面部を押圧することにより行われることを特徴とする請求項１または２に記載の間詰め方法。
【請求項４】
前記側面部への押圧は、前記袋体内に充填された前記硬化性材料に反力を取りつつ押圧することを特徴とする請求項３に記載の間詰め方法。
【請求項５】
前記袋体の塑性変形は、該袋体の対向する両側面部を同時に押圧することにより行われることを特徴とする請求項３または４に記載の間詰め方法。
【請求項６】
前記袋体の塑性変形は、該袋体内に充填された前記硬化性材料に反力を取るための反力伝達部材と、該反力伝達部材により反力を取りつつ上記袋体を押圧する押圧手段とにより行われることを特徴とする請求項１〜５いずれかの項に記載の間詰め方法。
【発明の詳細な説明】
【技術分野】
【０００１】
本発明は、上部対象物との間に存する空隙への確実な間詰め方法に関する。
【背景技術】
【０００２】
既設構造物の下に新設の構造物を作るときに、仮の基礎を作って既設構造物を支持しつつ新設構造物を構築するために、既設構造物を受け替えたり、防護・補強したりするアンダーピニングと呼ばれる工事が行われている。例えば、地下鉄や道路の地下トンネルなどの線状構造物を建設する際にその上方にビルや高架橋、地下構造物などが存在する場合に行われる。非特許文献１には、運転中の地下鉄をアンダーピニング工事により防護しながらその下部を掘削し、高速道路のトンネルを構築する技術が開示されている。
【非特許文献１】花島常雄、「山手通りの地下に首都高速道路を建設中」、［online］、２００４年１１月、間組の”現場レポート”より、［平成１７年５月２３日検索］、インターネット、＜ＵＲＬ：http://www.hazama.co.jp/japanese/hazamag/genbarepo/0411/genbarepo01.html＞
【発明の開示】
【発明が解決しようとする課題】
【０００３】
従来、上記非特許文献１のようなアンダーピニング工事の具体的な手順の一例として、まず既設構造物の直下に支持杭を打設しその杭頭に受桁を架設し、油圧ジャッキにより既設構造物の荷重を支持しつつ受桁上面と既設構造物との間に鋼製のキャンバーを設置し既設構造物を受け替え、次いで受桁と既設構造物との間の空隙に型枠を設置してコンクリートなどの硬化性材料を打設する間詰めを行っていた。
【０００４】
ところが、このアンダーピニング工事の例などにおける上下方向の空隙への間詰め方法には以下のような問題点があった。すなわち、コンクリートなどの硬化性材料を打設後、比較的初期においていわゆるブリージングが発生し、コンクリートなどの材料に含まれる水がコンクリートの上面に浮上し、骨材やセメント粒子などの沈降（コンクリートの体積減少）によって生じた上面の窪みに溜まる。この窪みに溜まった水がやがて蒸発し結果的にコンクリートの上面と上方の既設構造物との間に隙間ができてしまう。このように上部の構造物との間に隙間ができてしまうと、上部構造物の荷重を適切に支持することができなくなってしまう。
【０００５】
本発明は上記従来の課題に鑑みて創案されたものであって、上部対象物との間に存する空隙への確実な間詰め方法を提供することを目的とする。
【課題を解決するための手段】
【０００６】
本発明にかかる間詰め方法は、上部対象物と下部対象物との間に存する空隙に間詰めを行う方法であって、上記下部対象物上に袋体を配設し、次いで上記袋体内に、時間の経過にともなって次第に流動状態から塑性を呈しさらに硬化する性質の硬化性材料を流動状態にて充填し、上記充填された硬化性材料が塑性を呈するまで放置した後、上記袋体を上記上部対象物に密着するよう塑性変形させることを特徴とする。
【０００７】
前記袋体は透水性を有することを特徴とする。
【０００８】
前記袋体の塑性変形は、該袋体の側面部を押圧することにより行われることを特徴とする。
【０００９】
前記側面部への押圧は、前記袋体内に充填された前記硬化性材料に反力を取りつつ押圧することを特徴とする。
【００１０】
前記袋体の塑性変形は、該袋体の対向する両側面部を同時に押圧することにより行われることを特徴とする。
【００１１】
前記袋体の塑性変形は、該袋体内に充填された前記硬化性材料に反力を取るための反力伝達部材と、該反力伝達部材により反力を取りつつ上記袋体を押圧する押圧手段とにより行われることを特徴とする。
【発明の効果】
【００１２】
本発明にかかる間詰め方法にあっては、上部対象物との間に存する空隙への確実な間詰めを行うことが可能となる。
【発明を実施するための最良の形態】
【００１３】
以下に、本発明にかかる間詰め方法の好適な一実施形態を、添付図面を参照して詳細に説明する。本実施形態にかかる間詰め方法は基本的には、上部対象物１ａと下部対象物３ａとの間に存する空隙４を埋める際に適用され、まずこの空隙４内の下部対象物３ａ上に袋体５を配設し、次いでこの袋体５内に、時間の経過にともなって次第に流動状態から塑性を呈しさらに硬化する性質の硬化性材料６を流動状態にて充填し、次いでその充填された硬化性材料６が塑性を呈するまで放置した後、袋体５を上部対象物１ａに密着するよう塑性変形させることにより行われる。
【００１４】
図１には、本実施形態の間詰め方法が適用される施工箇所の一例を示している。現在運転中の地下鉄線路の躯体１の下方に新たに地下鉄線路などを構築すべく、アンダーピニング工事により支持杭２や受桁３などからなる仮の基礎を構築中の現場である。この図示例にあっては、上部対象物１ａは既存の地下鉄躯体１の下面１ａであり、下部対象物３ａはこの地下鉄躯体１を仮の基礎として支持する受桁３の上面３ａである。間詰めの対象となる空隙４は地下鉄躯体１の下面１ａと受桁３の上面３ａとの間に形成されている。受桁３の上面３ａ側は前もって打設された支持杭２の杭頭に連結されている。このアンダーピニング工事では地下鉄躯体１の下方をその長さ方向に沿って少しずつ掘削し、受桁３を順次一本ずつ架設しては地下鉄躯体１を支持させてゆく。
【００１５】
このアンダーピニング工事のより具体的な手順としては、まず地下鉄躯体１の下方、例えば１５ｃｍほど離間させた位置に支持杭２の杭頭に連結させて受桁３を架設し、次いで地下鉄躯体１の下面１ａと受桁３の上面３ａとの間の空隙４に油圧ジャッキを配置して荷重を導入（プレロード）した後、鋼製キャンバー７を配設して受け替えを行う。次いでこの鋼製キャンバー７によって支持されている空隙４に対し本実施形態の間詰めを行ってゆく。図１においては間詰めの対象となる空隙４をただ斜線で示しているが、実際にはこの空隙４に油圧ジャッキや鋼製キャンバー７、本実施形態の間詰め方法に使用される袋体５などが順次配設される。
【００１６】
本実施形態の間詰め方法に用いられる袋体５は、土嚢袋のように透水性を有する素材からなるものであり、通気性も有しているが、中に充填される硬化性材料６中の水以外の成分は通さない性質のものである。図２に示すようにその形状は内容物をぎっしり充填するとほぼ直方体となるものである。袋体５の、受桁３の上面３ａに配設した際の高さ寸法は、空隙４の上下寸法よりも若干大きくなるよう設定されているので配設された後に硬化性材料６が充填され、袋体５が上下に張り切った状態で硬化すれば袋体５の上面が地下鉄躯体１の下面１ａに完全に密着するようになっている（図４参照）。袋体５の１つの側面部５ｂには硬化性材料６を注入するための注入口５ａが形成されている。この注入口５ａは硬化性材料６を注入した後、絞り上げて密封される（図５参照）。
【００１７】
袋体５の素材としては例えば、透水性を有するような織りの織布や、細かな透水孔が複数形成された合成樹脂製のものなどであればよい。ただし、全く変形しないような硬いものではなく全体的に変形しうる柔軟性を有するものである。なお、袋体５は必ずしも透水性を有するものに限定されるわけではない。また、その寸法や形状も本実施形態のものに限定されるわけではなく、間詰め対象となる空隙４を埋めることができる十分な高さ寸法を有するものであって、中に充填される硬化性材料６の性質に相応した素材（具体例は後述する）のものであれば、どのようなものであっても構わない。また、特に本実施形態の袋体５による間詰め方法では上下間の空隙４をただ埋めるだけでなく上部対象物１ａの荷重を支持する必要があるので、そのための十分な強度を発揮するために相応の水平断面積を有するものであることが好ましい。
【００１８】
本実施形態の間詰め方法に用いられる硬化性材料６は、袋体５に充填する時点では流動状態であり、時間の経過にともなって次第に硬化しある時点で塑性を呈し、さらに時間が経過すると完全に硬化する性質のものである。さらに本実施形態の硬化性材料６は、硬化の過程においてブリージングを生じやすい性質のものである。具体的には例えば、モルタルやコンクリートのようなセメント系の水和物などがコストや作業性などの点から好ましい。
【００１９】
ここで「塑性を呈する」とは硬化性材料６を例えば指などで押圧し変形させた場合にその変形がそのまま維持される状態、すなわち塑性変形が可能な程度に硬化した状態を意味する。例えばモルタルなどは材料中の水分との水和反応がある程度進んだ時点で塑性を呈する。また「流動状態」とはいわゆる液状やゲル状態など、硬化性材料６を袋体５内に注入可能な程度の流動性を示す状態を意味する。
【００２０】
このような硬化性材料６を、下部対象物である受桁３の上面３ａに配設された袋体５内に充填するには、袋体５の注入口５ａに接続したパイプＰなどを介して行う。本実施形態の袋体５は通気性を有しているので特別、エア抜き用の開口部は必要がない。
【００２１】
硬化性材料６を注入すると袋体５の外形は、流動状態の硬化性材料６の自重により若干、上から潰されたように平たい形状となり、その高さ寸法は全体的にあるいは中央付近を除く周縁部において、上下に張り切った状態と比較すると小さくなり、地下鉄躯体１の下面１ａとの間に隙間が生じる（図３参照）。このときの袋体５の形状は、硬化性材料６の流動性や袋体５の柔軟性などによって実際には様々である。このように充填直後の時点では袋体５の上面は地下鉄躯体１の下面１ａに密着しておらず、この状態のまま硬化性材料６が硬化しても地下鉄躯体１の荷重を十全に支持することはできない。
【００２２】
本実施形態のように、セメント系水和物など硬化の過程でブリージングを生じやすい硬化性材料６を使用する場合には、ブリージングで生じた水分を袋体５の外部に排出するために透水性を有する袋体５であることが好ましい。またこのような硬化性材料６を注入する際は、加圧しつつ注入するようにすれば脱水が積極的に促進されるのでより好ましい。ブリージングにより生じる水分を外部に排出することによって、硬化性材料６の上面に窪みが形成されることが防止され、塑性変形させて地下鉄躯体１の下面１ａに密着させた後に両者の間に隙間が生じることがない。
【００２３】
硬化性材料６は必ずしも本実施形態のようにセメント系水和物などに限定されるわけではなく、例えば、空気との接触や化学反応により次第に硬化するガラス系、高分子系の材料や、加熱により硬化が進行する熱硬化性樹脂などを使用することも可能である。その場合にはブリージングが生じないので、袋体５を特に透水性を有するものとする必要はない。ただしその場合、硬化性材料６の性質によって袋体５の素材などについては相応のものを選択する必要がある。すなわち、硬化性材料６の硬化が空気との接触により進行する（気硬性）場合には、袋体５は通気性を有するものである必要がある。あるいは常温よりも高い温度を与えることによって硬化が進む熱硬化性樹脂などの場合には、袋体５は相応の熱伝導性を有する素材を選択する。いずれにせよこれらのブリージングを生じない硬化性材料６を使用する場合は、硬化性材料６の上面にブリージングによって窪みが形成されることはないので、塑性変形後に地下鉄躯体１の下面１ａとの間に隙間が生じることもない。また、本実施形態のように袋体５によって上部対象物１ａの荷重を支持する必要がある場合、硬化性材料６は硬化した状態で十分な強度を有するものを選択する。
【００２４】
袋体５内に硬化性材料６を充填した後、硬化性材料６が塑性を呈するようになるまでは袋体５を放置する。この放置時間は、硬化性材料６の種類や調合（例えばセメント系水和物であれば水セメント比など）によって異なるため、予め試験を行い調査しておくことが好ましい。あるいは実際の工事の現場で、指などにより一部分を押圧操作してみてその変形が元に戻らなくなったことをもって判断してもよい。調合にもよるが、例えばモルタルやコンクリートの場合は５時間程度で塑性変形可能な程度に硬化すると言われている。これに対しブリージングはそれ以前に発生するものであるので、モルタルやコンクリートなどのセメント系水和物の場合、時間的な観点からも塑性変形後に硬化性材料６の上面にブリージングによる窪みが発生するおそれはない。硬化性材料６として熱硬化性樹脂を使用する場合は、この放置時間中や、塑性変形後にも加熱を行う。
【００２５】
袋体５の塑性変形は基本的には、袋体５内に充填された硬化性材料６に反力を取るための反力伝達部材８と、この反力伝達部材８により反力を取りつつ袋体５を押圧するための押圧手段９とにより行われる。これら反力伝達部材８や押圧手段９を袋体５に取り付けた様子を図５に示している。図５においては袋体５内部に充填された硬化性材料６は省略して描いている。
【００２６】
反力伝達部材８は番線により構成されており、その先端部分８ａは二股に分かれて突出している。反力伝達部材８を使用するにはまず反力伝達部材８の先端部分８ａを、袋体５への押圧操作より前の時点で袋体５に突き刺しておく。突き刺す具体的なタイミングとしては、袋体５内部の硬化性材料６がある程度硬化し、反力伝達部材８が突き刺された位置に維持されることが可能となった時点である。この反力伝達部材８を突き刺す適切なタイミングについては、硬化性材料６の種類や調合により異なるので予め試験により調査しておくことが好ましい。反力伝達部材８の根元部分は、番線を折り返し数回転ねじ曲げることにより小さな環状部８ｂが形成されている。
【００２７】
押圧手段９は主に、おおよそＴ字状の本体部１０と、押圧操作部１１とからなる。本体部１０は、螺条が形成された棒状部１０ａと、棒状部１０ａの頭部に設けられた棒状のハンドル１０ｂとから構成されている。押圧操作部１１は、棒状部１０ａに螺合された螺合片１１ａと、袋体５に押し当てられる矩形板状の押圧板１１ｂと、螺合片１１ａから左右両側に突出して押圧板１１ｂに接続するシャフト１１ｃとから構成されている。棒状部１０ａの先端には鉤針状のフック１０ｃが形成されており、このフック１０ｃに反力伝達部材８の環状部８ｂが係合される。反力伝達部材８の二股に形成された先端部分８ａは押圧板１１ｂをかわすように押圧板１１ｂの上下において袋体５に突き刺されている。
【００２８】
押圧操作を行う作業者が押圧手段９のハンドル１０ｂを握持して回転させると、螺合片１１ａが棒状部１０ａに対し回転し、本体部１０と押圧操作部１１とが互いに相対移動して、その押圧操作部１１の動きがシャフト１１ｃを通じて押圧板１１ｂへと伝達される。ハンドル１０ｂと押圧操作部１１の螺合片１１ａとが互いに離れるようにハンドル１０ｂを回転させると袋体５が押圧板１１ｂにより押圧されるが、その際、反力伝達部材８の先端部分８ａは硬化性材料６の内部に突き刺され一体化されているため硬化性材料６に対し移動することはなく、その結果、反力伝達部材８の先端部分８ａから袋体５を押圧するための反力が押圧手段９に伝達される。その結果、袋体５の、押圧板１１ｂに接している側面部５ｃが押圧板１１ｂを介して押圧される。
【００２９】
反力伝達部材８が硬化性材料６から反力を得るには、硬化性材料６が十分に硬化して、反力伝達部材８の先端部分８ａと硬化性材料６とが互いに相対移動しない程度に両者が一体化している必要がある。従って本実施形態において袋体５への押圧操作を行う適切なタイミングは、前述の、硬化性材料６が塑性を呈するほどに硬化したという条件に加えて、硬化性材料６内に突き刺した反力伝達部材８の先端部分８ａが硬化性材料６と十分に一体化したという条件をクリアした時点である。
【００３０】
図４および図５では、袋体５の互いに対向する両側面部５ｃ、５ｄをそれぞれ上記の押圧手段９および反力伝達部材８を用いて同時に押圧する様子を示している。図４では、反力伝達部材８と、押圧手段９の押圧板１１ｂ以外は省略して描いている。図３に示すようなつぶれた状態の袋体５の側面部を十分に押圧すると、その側面部は袋体５の中央側へ押し戻されると同時にその付近の袋体５の上部が持ち上げられて地下鉄躯体１下面１ａに密着する。ここで、仮に袋体５を対向する２つの側面部からではなく１つの側面部のみにおいて押圧した場合には、それ以外の側面部、特に対向する反対側の側面部については変形させることができない。これに対し本実施形態のように対向する両側面部５ｃ、５ｄを同時に押圧し塑性変形させてゆけば袋体５上部の大部分を地下鉄躯体１の下面１ａに密着させることができ、その結果、より効果的に地下鉄躯体１を支持することができる。
【００３１】
また、本実施形態のように袋体５を互いに対向する両側面部５ｃ、５ｄから押圧する場合には、それぞれの側の反力伝達部材８が袋体５内の硬化性材料６から得る反力に加え、反対側の押圧手段９から硬化性材料６を介して伝達される押圧力をもそれぞれ反力として利用することができるので、より効率的に塑性変形させることができる。また、対向する両側面部５ｃ、５ｄから同時に押圧することによって塑性変形の最中に袋体５の形状が不均一に歪んでしまうことがなく、均一な形状を保ちつつすみやかに高さ方向の寸法を増大させるよう変形されることができる。
【００３２】
図６には、作業員が実際に本実施形態の押圧手段９や反力伝達部材８を用いて袋体５とその内部の硬化性材料６を塑性変形させる様子を描いている。このように、本実施形態においては袋体５を側面部から押圧するようにしているので、地下鉄躯体１の下面１ａと受桁３の上面３ａとの間に形成される空隙４の上下寸法が例えば１５ｃｍ程度と小さく、作業性の悪い状況であっても袋体５を容易に押圧し塑性変形させることができる。
【００３３】
図６からわかるように本実施形態の間詰め方法に使用する袋体５は比較的寸法が小さいものであるので、押圧手段９や反力伝達部材８は本実施形態のように、比較的簡単な構成のもので済み、かつ特別なエネルギー源を必要とせず人力で簡単に押圧操作を行うことができる。また、特別な場所から反力を取り押圧手段９に伝達する必要がなく、押圧対象である袋体５内の硬化性材料６自体から簡単に反力を得ることができる。以上のように本実施形態の押圧手段９や反力伝達部材８によれば、袋体５への押圧操作が手間やコストの面で非常に有利となる。
【００３４】
押圧手段９により袋体５を押圧し塑性変形させたら、反力伝達部材８と押圧手段９はすぐに取り外して他の袋体５に転用することができる。あるいは反力伝達部材８は硬化性材料６中に埋めたままにし、次の袋体５を押圧する際には新しいものを使用してもよい。塑性変形させた硬化性材料６は十分な時間が経過すれば完全に硬化し、地下鉄躯体１を支持する強度を発揮する。なお、袋体５を塑性変形させるために押圧する方法は本実施形態のものに限定されるわけではなく、例えば作業員が手で押圧することとしてもよい。
【００３５】
以上のような本実施形態にかかる間詰め方法にあっては、地下鉄躯体１の下面１ａと受桁３の上面３ａとの間に存する上下方向の空隙４に対し、まず受桁３の上面３ａに袋体５を配設し、次いで袋体５内に、時間の経過にともなって次第に流動状態から塑性を呈しさらに硬化する性質の硬化性材料６を流動状態にて充填し、次いで充填された硬化性材料６が塑性を呈するまで放置した後、袋体５を地下鉄躯体１の下面１ａに密着するよう塑性変形させることとしたので、硬化性材料６が硬化の過程でブリージングを生じやすい性質のものであっても、それ以外のものであっても、空隙４への確実な間詰めを行うことができ、有利である。
【００３６】
また、従来のように間詰め対象の空隙４に型枠を設置した後、モルタルなどを打設してゆく間詰め方法の場合は、空隙４の上下寸法が例えば１５ｃｍ程度と狭い場合には、型枠を設置したり撤去したりする作業や、枠内にモルタルなどを打設する作業が、非常に手間のかかるものであったが、本実施形態の間詰め方法によればそのような作業を行う必要がなく非常に簡単である。
【００３７】
さらに、従来よりトンネル覆工体の裏込めや覆工体そのものなどに袋体を利用する場合があったが、そのような場合は通常、袋体内にコンクリートなどの硬化性材料を打設した後すぐにジャッキなどの押圧設備により押圧を開始し、硬化性材料を圧密して脱水しつつ地山などの上部対象物に密着させてゆくようにしていた。このような場合、通常は、硬化性材料が塑性を呈するまで継続的に押圧設備の押圧状態を維持しなければならず、特にトンネル覆工体など、間詰め対象の空隙が広範囲の場合や複数箇所に同時的に行われる場合には、押圧設備の転用性が悪く非効率であったばかりか押圧に必要なエネルギー（例えばジャッキの油圧エネルギーなど）の消費の点においても非常に不利であった。これに対し本実施形態の間詰め方法では、硬化性材料６が塑性を呈するまでは放置し、塑性変形可能な状態となった時点でのみ押圧操作を行えばよいため、押圧手段９などの転用性の面からも、かつまたエネルギー消費（本実施形態の押圧手段９では人力であるが）の点からも非常に有利である。
【００３８】
また、特に本実施形態においては袋体５の塑性変形を袋体５の側面部５ｃ、５ｄを押圧することにより行うこととしたので、空隙４の上下寸法が小さい場合など作業性の悪い状況であっても問題なく、容易に袋体５を押圧し塑性変形させることができる。
【００３９】
また、特に本実施形態においては側面部５ｃ、５ｄへの押圧を、袋体５内の硬化性材料６から反力を取りつつ押圧することとしたので、非常に簡単に反力を確保しつつ袋体５を押圧し塑性変形させることができる。
【００４０】
また、特に本実施形態においては袋体５の塑性変形を、袋体５の対向する両側面部５ｃ、５ｄから同時に押圧することにより行われることとしたので、袋体５の上部の広い面積を地下鉄躯体１の下面１ａに密着させられる結果、硬化性材料６が硬化した後、より効果的に地下鉄躯体１を支持することができる。また、互いに反対側の押圧手段９からの押圧力をも反力として利用することができ、袋体５をより効率的に塑性変形させることができる。さらには、袋体５を均一な形状に保ちつつ、しかもすみやかに塑性変形させることができる。
【００４１】
また、特に本実施形態においては袋体５の塑性変形を、袋体５内に充填された硬化性材料６に反力を取るための反力伝達部材８と、反力伝達部材８により反力を取りつつ袋体５を押圧する押圧手段９とにより行われることとしたので、非常に簡単な手段で反力を確保しつつこれを押圧手段９に伝達し、押圧手段９ではこの反力を利用しつつ袋体５を押圧し塑性変形させることができる。
【００４２】
なお、上記実施形態では本発明にかかる間詰め方法をアンダーピニング工事に適用する例について説明したが、このような用途に限定されるものではなく、上下方向の空隙を埋めるあらゆる間詰めの場合に適用可能である。例えば、トンネルの覆工体として内型枠と地山との間の空隙を埋める場合に適用することもできる。あるいは、トンネル覆工体と地山との間の空隙に対する裏込め注入として適用することもできる。
【図面の簡単な説明】
【００４３】
【図１】本発明にかかる間詰め方法の好適な一実施形態における、間詰めが適用される施工箇所を示す正面断面図である。（ｂ）は（ａ）の要部を拡大した図である。
【図２】本発明にかかる間詰め方法の好適な一実施形態において使用される、袋体の斜視図である。
【図３】図１の施工箇所の側断面図である。袋体内に硬化性材料が充填された直後の様子を示している。
【図４】図１の施工箇所の側断面図である。袋体内の硬化性材料を押圧し塑性変形させる様子を示している。
【図５】本発明にかかる間詰め方法の好適な一実施形態において使用される袋体、押圧手段、および反力伝達部材を示す斜視図である。
【図６】本発明にかかる間詰め方法の好適な一実施形態における、実際の作業の様子を示す説明図である。
【符号の説明】
【００４４】
１ａ  上部対象物（地下鉄区体の下面）
３ａ  下部対象物（受桁の上面）
４    空隙
５    袋体
６    硬化性材料
８    反力伝達部材
９    押圧手段
【図１】
2006328861.tif 000003
【図２】
2006328861.tif 000004
【図３】
2006328861.tif 000005
【図４】
2006328861.tif 000006
【図５】
2006328861.tif 000007
【図６】
2006328861.tif 000008